(57)【特許請求の範囲】
【請求項１】
湯水通路分離形成本体と、湯水流入口用のフィルター付き開口枠体と、湯水吐出口用の湯水吐出ノズル付き閉塞体とからなり、湯水通路分離形成本体は、前面壁部の片面側の外周縁に枠部を形成するとともに、この枠部の隣接する位置に２つの開口部を分離形成し、一方の開口部に連通する湯水通路と他方の開口部に連通する湯水通路とを枠部の内側に形成し、更に各開口部近傍の前面壁部にフィルター付き湯水流通穴を形成し、且つ各開口部に連通する湯水通路と各湯水流通穴とを仕切る仕切り壁部を前面壁部に形成するとともに、仕切り壁部に繋ぎ通路を形成し、且つ各フィルター付き湯水流通穴は袋小路となるように区画してなり、湯水流入口用のフィルター付き開口枠体は、湯水通路分離形成本体の所望の開口部に着脱可能な枠部と、この枠部内に設けたフィルターとからなり、湯水吐出口用の湯水吐出ノズル付き閉塞体は、湯水通路分離形成本体の所望の開口部に着脱可能な閉塞本体部と、この閉塞本体部の外側に形成した湯水吐出ノズル部とこの湯水吐出ノズル部に連通するようにして内側に形成した筒部とからなり、この湯水吐出ノズル付き閉塞体を湯水通路分離形成本体の所望の開口部に装着した時、筒部の側壁によって前記した繋ぎ通路を閉塞できて、湯水吐出ノズル部と湯水通路分離形成本体内の一方の湯水通路とを連通でき、フィルター付き開口枠体を湯水通路分離形成本体の所望の開口部に装着した時、湯水の流入するフィルターと湯水通路分離形成本体の他方の湯水通路並びにフィルター付き湯水流通穴とを連通できるようにした構成を特徴とする湯水通路分離形成具。
【請求項２】
請求項１記載の構成からなる湯水通路分離形成具と、この湯水通路分離形成具の一方の湯水通路に連通する湯水案内通路を形成するともに、他方の湯水通路に連通するトラップ通路を形成したトラップ形成具と、このトラップ形成具の湯水案内通路に連通する湯水案内筒部を形成するとともに、この湯水案内筒部の一端に湯水通路分離形成本体に嵌合できる嵌合部を形成し、湯水案内筒部の外周側の嵌合部に湯水通過穴を形成してなる湯水案内具と、この湯水案内具の湯水案内筒部を挿入できてこの湯水案内筒部の外側に湯水案内具の湯水通過穴を介してトラップ形成具のトラップ通路と連通する湯水流通用空間を構成できる筒部を形成するとともに、この筒部の一端に湯水案内具の嵌合部に固定できるフランジ部を形成してなる浴槽内固定具と、２つの湯水通路接続管を内部区画した後部に夫々接続でき、且つ浴槽の外面部に穿設された貫通穴に浴槽の外側から当接でき、且つこの貫通穴に浴槽の内側から挿入する浴槽内固定具の筒部に外嵌でき、且つ外嵌時に浴槽内固定具の湯水流通用空間を一方の湯水通路接続管に連通できるとともに、湯水案内具の湯水案内筒部を他方の湯水通路接続管に連通できる浴槽外固定具とからなることを特徴とす湯水通路分離形成具を有する湯水循環用接続具。
【発明の詳細な説明】
【０００１】
【発明の属する技術分野】
本発明は、浴槽と給湯装置との間で湯水を強制循環させるために浴槽の側面部に穿設した貫通穴に取り付ける湯水通路分離形成具、及びこの湯水通路分離形成具を有する湯水循環用接続具に関するものである。
【０００２】
【従来の技術】
一般に各家庭等に設置されている浴槽１０１（図１７参照）には、例えば屋外に設置した給湯装置１０２と、室内に設置した浴槽１０１との間で湯水を強制循環させるために、浴槽１０１の側面部１０３に穿設した孔１０４に湯水循環接続金具１０５が取り付けられている。この湯水循環接続金具１０５には、湯水往路用接続管１０６並びに湯水復路用接続管１０７及び延長接続管１０８、１０９が夫々接続してある。更に各延長接続管１０８、１０９は、給湯装置１０２に接続してある。
【０００３】
そして給湯装置１０２に内蔵された循環ポンプ（図示せず）を作動させることによって、浴槽１０１内の湯水は、湯水往路用接続管１０６並びに湯水復路接続管１０７及び延長接続管１０８、１０９を介して、給湯装置１０２との間で強制的に循環され、給湯装置１０２内の燃焼部（図示せず）で加熱される。
【０００４】
この湯水循環接続金具１０５は、浴槽内に臨む部分にフイルターキャップ１１０を有している。２つの開口１１１（片側図示せず）が、このフイルターキャップ１１０の外周面に形成され、各開口１１１にはフィルター１１３が取り付けてある。また、フイルターキャップ１１０の前面にも開口１１２が形成されていて、開口１１２に内部からフィルター１１４を取り付けてある。
【０００５】
前記したように循環ポンプ（図示せず）によって強制循環させられる湯水は、フイルターキャップ１１０の一方の開口１１１ａから給湯装置１０２側に戻され、この。戻された湯水は、給湯装置１０２から吐出されて、フイルターキャップ１１０のもう一方の開口（図示せず）並びに前面の開口１１２からフィルター１１４を介して浴槽内に吐出されている。
【０００６】
【発明が解決しようとする課題】
しかしながら、このような従来の湯水循環接続金具１０５では、フィルター１１３は開口１１１に強く嵌着されているので、塵等が付着した場合にフィルター１１３を取り外そうとしても簡単に取り外すことができなかった。
【０００７】
また、湯水循環接続金具１０５から浴槽内に吐出される熱湯は、フイルターキャップ１１０の前面の開口１１２からも吐出されるため、この付近に身体を寄せて入浴していた場合、熱湯が身体に直接当たって危険であった。
【０００８】
更に風呂の残り湯を洗濯等に利用したい場合、前記した湯水循環接続金具１０５では、残り湯を外に出すためのホースを繋ぐノズルがなく、浴槽の残り湯をバケツで何回となくくみ出して洗濯機等に供給しなければならず、残り湯の利用も大変であった。
【０００９】
本発明はこのような点に鑑みて開発されたものであり、その目的とするところは、フィルターを湯水通路分離形成具本体の各開口部に容易に取り付けできるとともに、取外しも容易に行うことができ、また入浴中に熱湯が直接入浴者に当たるといったことのないようにし、更に浴槽内からの戻り湯水の吸い込む口（開口部）を複数箇所にして、吸い込む口に取り付けたフィルターへの塵等の付着を少なくし、また、ホースを接続して残り湯を洗濯機等に簡単に供給することができ、更に給湯装置からの湯水往路用接続管及び湯水復路用接続管を湯水循環用接続具の何方の接続口で接続しても使用できるようにした湯水通路分離形成具、及びこの湯水通路分離形成具を有する湯水循環用接続具を提供することにある。
【００１０】
【課題を解決するための手段】
本発明は前記目的を有効に達成するために、次のような構成にしてある。すなわち、請求項１記載の本発明の湯水通路分離形成具は、湯水通路分離形成本体と、湯水流入口用のフィルター付き開口枠体と、湯水吐出口用の湯水吐出ノズル付き閉塞体とからなり、湯水通路分離形成本体は、前面壁部の片面側の外周縁に枠部を形成するとともに、この枠部の隣接する位置に２つの開口部を分離形成し、一方の開口部に連通する湯水通路と他方の開口部に連通する湯水通路とを枠部の内側に形成し、更に各開口部近傍の前面壁部にフィルター付き湯水流通穴を形成し、且つ各開口部に連通する湯水通路と各湯水流通穴とを仕切る仕切り壁部を前面壁部に形成するとともに、仕切り壁部に繋ぎ通路を形成し、且つ各フィルター付き湯水流通穴は袋小路となるように区画してなり、湯水流入口用のフィルター付き開口枠体は、湯水通路分離形成本体の所望の開口部に着脱可能な枠部と、この枠部内に設けたフィルターとからなり、湯水吐出口用の湯水吐出ノズル付き閉塞体は、湯水通路分離形成本体の所望の開口部に着脱可能な閉塞本体部と、この閉塞本体部の外側に形成した湯水吐出ノズル部とこの湯水吐出ノズル部に連通するようにして内側に形成した筒部とからなり、この湯水吐出ノズル付き閉塞体を湯水通路分離形成本体の所望の開口部に装着した時、筒部の側壁によって前記した繋ぎ通路を閉塞できて、湯水吐出ノズル部と湯水通路分離形成本体内の一方の湯水通路とを連通でき、フィルター付き開口枠体を湯水通路分離形成本体の所望の開口部に装着した時、湯水の流入するフィルターと湯水通路分離形成本体の他方の湯水通路並びにフィルター付き湯水流通穴とを連通できるようにした構成にしてある。
【００１１】
また、請求項２記載の本発明の湯水通路分離形成具を有する水循環用接続具は、請求項１記載の構成からなる湯水通路分離形成具と、この湯水通路分離形成具の一方の湯水通路に連通する湯水案内通路を形成するともに、他方の湯水通路に連通するトラップ通路を形成したトラップ形成具と、このトラップ形成具の湯水案内通路に連通する湯水案内筒部を形成するとともに、この湯水案内筒部の一端に湯水通路分離形成本体に嵌合できる嵌合部を形成し、湯水案内筒部の外周側の嵌合部に湯水通過穴を形成してなる湯水案内具と、この湯水案内具の湯水案内筒部を挿入できてこの湯水案内筒部の外側に湯水案内具の湯水通過穴を介してトラップ形成具のトラップ通路と連通する湯水流通用空間を構成できる筒部を形成するとともに、この筒部の一端に湯水案内具の嵌合部に固定できるフランジ部を形成してなる浴槽内固定具と、２つの湯水通路接続管を内部区画した後部に夫々接続でき、且つ浴槽の外面部に穿設された貫通穴に浴槽の外側から当接でき、且つこの貫通穴に浴槽の内側から挿入する浴槽内固定具の筒部に外嵌でき、且つ外嵌時に浴槽内固定具の湯水流通用空間を一方の湯水通路接続管に連通できるとともに、湯水案内具の湯水案内筒部を他方の湯水通路接続管に連通できる浴槽外固定具とからなる構成である。
【００１２】
【発明の実施の形態】
本発明の実施の形態を添付の図１〜図１６に基づいて説明する。
図１〜図５、図１３〜図１６に示すように、本発明に係る湯水通路分離形成具１（図１３参照）は、湯水通路分離形成本体２（図１〜図３参照）と、湯水流入口用のフィルター付き開口枠体３（図５参照）と、湯水吐出口用の湯水吐出ノズル付き閉塞体４（図４参照）とによって構成されている。
【００１３】
すなわち、湯水通路分離形成本体２（図１〜図３参照）は、前面壁部７（円形板部５及び湯水出入側板部６）の片面側の外周縁に枠部８を形成するとともに、湯水出入側板部６側の枠部８に２つの長方形状の開口部９、１０を隣接するように形成してある。この２つの開口部９、１０は、連通することなく区画されている。円形板部５の周囲は、枠部８の一部とともに円弧状枠部１１によって囲繞されている。更に円形板部５の中央部には短円筒部１２が形成され、短円筒部１２の一部には円弧状開口１３を形成してある。
【００１４】
この円弧状開口１３に連通するようにして案内筒部１４が、円弧状開口１３から円弧状枠部１１まで形成されている。更にこの案内筒部１４の横断開口に相当する穴（図示せず）が、円弧状枠部１１（通路仕切り部）に貫通形成してある。このように短円筒部１２と案内筒部１４とを円形板部５に形成することによって、円形板部５の片面側には、前記した一方の開口部９と案内筒部１４並びに短円筒部１２に連通する湯水通路１５が形成される。また、案内筒部１４と短円筒部１２と枠部８及び円弧状枠部１１とによって、短円筒部１２の外側には他方の開口部１０に連通する湯水通路１６が形成されている。そのため、開口部１０の一部と対峙する円弧状枠部１１の部分には、湯水流通１６用の穴（図示せず）が形成されている。
【００１５】
更に湯水出入側板部６の各開口部９、１０近傍の外側寄りには、フィルター付き湯水流通穴１７、１８が形成されている。このフィルター付き湯水流通穴１７、１８と、各開口部９、１０に連通する各湯水通路１５ａ、１６ａとは、湯水出入側板部６に形成された仕切り壁部１９、２０（図３参照）によって一部を仕切られている。前記の湯水通路１５ａは、湯水通路１５と連通し、湯水通路１６ａは湯水通路１６ａと連通するようにしてある。
【００１６】
各仕切り壁部１９、２０の開口部側端１９ａ、２０ａと、各開口部９、１０との間には所定の隙間が形成してあり、この間隔は各フィルター付き湯水流通穴１７、１８と各湯水通路１５ａ、１６ａとを連通する繋ぎ通路２１、２２としてある。また、各フィルター付き湯水流通穴１７、１８の周辺部１７ａ、１８ａは、各仕切り壁部１９、２０、円弧状枠部１１、各外壁部２３ａ、２４ａ並びに各被覆板部２３ｂ、２４ｂによって袋小路状に形成されている。
【００１７】
各開口部９、１０の長辺縁部には案内枠２５が形成されており、この案内枠２５間にフィルター付き開口枠体３又は湯水吐出ノズル付き閉塞体４を嵌合できるようにしてある。
【００１８】
すなわち、各開口部９、１０の外端部には、前記した枠部８と各外壁部２３ａ、２４ａとによって形成された隙間２６に連通する穴部２７、２８（図１５参照）が形成されている。この穴部２７、２８は、フィルター付き開口枠体３又は湯水吐出ノズル付き閉塞体４の後述するＵ字状の係止ツメ部３２，５０を挿入する為のものである。また、この各係止ツメ部３２，５０のツメ４１を着脱可能に係止する係止部８ａが枠部８に形成してある。更に各開口部９、１０の内端部には、両案内壁３５，３６（図３参照）間の隙間に、フィルター付き開口枠体３又は湯水吐出ノズル付き閉塞体４の後述する係止ツメ部３９、５０（図４，図５参照）を挿入できる穴部３３、３４が形成されている。各案内壁３５、３６（図３参照）の上部外側には、前記の係止ツメ部３９、５０を係止する係止凸部３７、３８が形成されている。
【００１９】
次にフィルター付き開口枠体３（図５参照）は、枠部２９とフィルター３０とからなる。枠部２９は、各開口部９、１０の大きさに相当する長方形状枠部３１と、この長方形状枠部３１の一端に形成したＵ字状の係止ツメ部３２と、他端に形成した係止ツメ部３９とからなる。
【００２０】
Ｕ字状の係止ツメ部３９は、外側面４０に鋸刃状のツメ４１が形成されている。ツメ４１は水平面部４１ａと下方に傾斜した傾斜面部４１ｂとからなる。またツメ４１の上方側には鍔部４２が形成されている。鍔部４２はフィルター付き開口枠体３を開口部９、１０に取り付けた時、鍔部４２の先端部４２ａが各開口部９、１０の枠部端８ａから少し外側に突出するように形成してある（図１５参照）。更にこの係止ツメ部３９のＵ部４３は、前記した各開口部９、１０の外側の穴部２７、２８に挿入できる大きさに形成してある。Ｕ部４３は弾発性を有している。
【００２１】
また、長方形状枠部３１の他端に形成した係止ツメ部３９は、繋ぎ部４４を介して垂直方向に平板部４５を形成し、この平板部４５の下端寄りの内側には鋸刃状のツメ４６が形成されている。ツメ４６は水平面部４６ａと下方に傾斜した傾斜面部４６ｂとからなる。平板部４５は、前記した各開口部９、１０の短辺縁部の穴３３、３４に挿入できる大きさに形成してある。
【００２２】
また、長方形状枠部分１には格子状のフィルター３０が張設してある。フィルター３０は耐蝕性の金属線材を格子状に形成したものが好ましいが、他の材質、形状のフィルターであってもよい。
【００２３】
上記のような構成からなるフィルター付き開口枠体３を各開口部９、１０に取り付ける場合は、片側の係止ツメ部３９の平板部４５を、各開口部９、１０の内側端に連通するように形成した穴部３３又は穴部３４に挿入し、ツメ４６を各係止凸部３７又は３８に係止する。次にもう片側のＵ字状の係止ツメ部３２を各開口部９、１０の外側端に連通するように形成した穴部２７又は穴部２８に挿入する。このことによって弾発性を有するＵ字状の係止ツメ部３２のツメ４１は枠部端８ａに係止し、フィルター付き開口枠体３を各開口部９、１０に簡単に取り付けることができる。また、フィルター付き開口枠体３を各開口部９、１０から取り外す場合は、図１１、１２に示すようにＵ字状の係止ツメ部３２の先端部４２ａを内方に押圧してＵ部４３を屈曲させ、ツメ４１の係止を解除しながらこのＵ部４３を穴部２７（２８）から抜き出し、その後に他端の係止ツメ部３９のツメ４６を各係止凸部３７又は３８から係止解除して外し、フィルター付き開口枠体３を各開口部９、１０から取り除く。
【００２４】
次に湯水吐出ノズル付き閉塞体４（図４参照）は、前記した各開口部９、１０に着脱可能な閉塞本体部４７と、この閉塞本体部４７の外面側に形成した湯水吐出ノズル部４８と、この湯水吐出ノズル部４８に連通するようにして閉塞本体部４７の内面側に形成した筒部４９とからなる。
【００２５】
また、閉塞本体部４７は、各開口部９、１０を閉塞する大きさであって、一端には前記したフィルター付き開口枠体３のＵ字状の係止ツメ部３２と同様の係止ツメ部５０が形成され、他端にはフィルター付き開口枠体３の係止ツメ部３９と同様の係止ツメ部３９ａが形成されている。尚、係止ツメ部５０、３９ａの他の構成は、フィルター付き開口枠体３の係止ツメ部３２、３９と同様であり、同一符号を付して説明を省略する。また、湯水吐出ノズル付き閉塞体４の各開口部９、１０への着脱の仕方については、前記で説明したフィルター付き開口枠体３と同様であり説明を省略する。
【００２６】
前記した筒部４９は、湯水吐出ノズル付き閉塞体４を湯水通路分離形成本体２の所望の開口部９、１０に装着した時、各湯水通路１５ａ、１６ａに嵌入され、側壁４９ａによって繋ぎ通路２１（２２）を閉塞できるように形成してある。したがって、各湯水通路１５ａ、１６ａとフィルター付き湯水流通穴１７、１８との湯水の流通は遮断されることになる。
【００２７】
湯水通路分離形成具１（図１３参照）は、上述のような構成からなるものであり、浴槽の側面部Ａに穿設された貫通穴ａに対して浴槽側から取り付けられるものである。作用・効果については次に説明する湯水循環用接続具５１（図１３参照）のところで説明する。
【００２８】
前記の湯水通路分離形成具１を有する湯水循環用接続具５１（図１３参照）は、湯水通路分離形成具１、トラップ形成具５２、湯水案内具５３、浴槽内固定具５４、及び浴槽外固定具５５とによって構成されている。
【００２９】
トラップ形成具５２（図６参照）は、筒部５６と、トラップ通路５７を形成した環状体５８とを一体的に形成したものである。すなわち、筒部５６の一端５６ａは、パッキン５９（図１３参照）を介して前記の湯水通路分離形成具１の短円筒部１２に挿着でき、外周にＯ状のパッキン５９を嵌着するための凹溝６０が形成してある。また、環状体５８は、筒部５６の他端寄りの外周に形成してあり、周囲を外枠部６１によって囲繞され、外枠部６１の一部に開口６１ａを形成してある。この外枠部６１の高さと同じ位置まで、前記の筒部５６の他端５６ｂが環状体５８の中央から突出するように形成されている。この筒部５６の突出部５６ｃと外枠部６１との間には、トラップ通路５７が形成されている。更に突出部５６ｃ並びに外枠部６１の先端５６ｄ、６１ａには、後述する湯水案内具５３（図７、図８参照）に嵌合するための嵌合凸部６３、６４が形成されている。また、貫通する筒部５６の内部は、湯水通路分離形成具１の湯水通路１５に連通する湯水案内通路６５としてある。トラップ通路５７は湯水通路分離形成具１の湯水通路１６に連通する。
【００３０】
次に湯水案内具５３（図７、図８参照）は、中央にトラップ形成具５２の湯水案内通路６５に連通する湯水案内筒部６６を形成するとともに、この湯水案内筒部６６の一端に湯水通路分離形成本体２に嵌合できる嵌合部６７を形成してある。湯水案内筒部６６の嵌合部６７側の端部６８は、嵌合部６７から少し突出し、突出端６９を閉塞形成してある。端部６８の外周の一部には開口７０を形成してある。
【００３１】
また、嵌合部６７は、円形状であって湯水案内筒部６６の端部６８の外周側には所定間隔を以て複数の湯水通過穴７１が形成されている。更に嵌合部６７の外周寄りには一定間隔を以て３箇所に止めネジ用のネジ穴７３が形成されている。その他の開口部分７４は湯水案内具５３を軽量化するために形成されている。更に嵌合部６７の外周部７６は、湯水通路分離形成本体２（図１３参照）の枠部８の一部及び円弧状枠部１１に嵌着できるように形成してある。
【００３２】
このような構成からなる湯水案内具５３の湯水案内筒部６６の内部通路７５は、開口７０を介してトラップ形成具５２の湯水案内通路６５に連通し、また嵌合部６７の湯水通過穴７１は、トラップ形成具５２のトラップ通路５７と連通するようにしてある。
【００３３】
次に浴槽内固定具５４（図９参照）は、湯水案内具５３（図８、図１３参照）の湯水案内筒部６６の外径より内径が大なる筒部７７と、この一端に形成したフランジ部７８とからなる。筒部７７は、湯水案内具５３の湯水案内筒部６６を挿入した時に、この湯水案内筒部６６との間に湯水流通用空間７９を形成できるように形成したものである。湯水流通用空間７９は、湯水案内具５３の湯水通過穴７１を介してトラップ形成具５２のトラップ通路５７と連通する。また、筒部７７の外周面には雄ネジ７７ａが形成してある。
【００３４】
また、フランジ部７８は、湯水案内具５３の嵌合部６７に止めネジ７２で固定できるように外周縁拠りの円周方向の９か所にネジ穴８０を形成してある。このフランジ部７８と湯水案内具５３の嵌合部６７とは、パッキン８１（図１３参照）を介してネジ７２で固定される。
【００３５】
次に浴槽外固定具５５（図１０）は、一端を開口した有底筒体８２と、この有底筒体状８２の内部に形成した内部筒体８３とゴムパッキン（図示せず）を嵌着して浴槽の側面部Ａに穿設された貫通穴ａに対して浴槽外から当接させるフランジ部８４と、湯水往路用と湯水復路用の２つの湯水通路接続管（図示せず）を接続する接続管部８５、８６とからなる。有底筒体８２の後部８７に設けた接続管部８６は、有底筒体８２と内部筒体８３との間に形成される湯水通路８８に連通し、接続管部８５は、内部筒体８３の湯水通路８９に連通するように、後部８７を内部区画してある。また、有底筒体８２の内周面には雌ネジ８２ａが形成してある。
【００３６】
この浴槽外固定具５５の内部筒体８３は、浴槽の側面部Ａの貫通穴ａに浴槽内から浴槽内固定具５４と伴に挿入される湯水案内具５３の湯水案内筒部６６を挿着できるようにしてある。
【００３７】
上述のような構成からなる湯水循環用接続具５１にあって、この湯水循環用接続具５１を浴槽の側面部Ａに穿設した貫通穴ａに取り付ける場合は、先ず湯水案内具５３の嵌合部６７の中央に、トラップ形成具５２の環状体５８を対峙させて、湯水案内具５３の湯水案内筒部６６の内部通路７５と、トラップ形成具５２の筒部５７の湯水案内通路６５とを連通するように組み合わせる。
【００３８】
次に浴槽内固定具５４の筒部７７に湯水案内具５３の湯水案内筒部６６を挿入し、パッキン８１を介して湯水案内具５３のフランジ部７８と湯水案内具５３の嵌合部６７とを係合させ、嵌合部６７側からネジ７２を嵌合部６７の貫通穴７３に挿通させてフランジ部７８のネジ穴８０に螺着し、浴槽内固定具５４に湯水案内具５３を固定する。
【００３９】
次にトラップ形成具５２の筒部５７の凹溝６０にパッキン５９を嵌着し、この筒部５７をパッキン５９を介して湯水通路分離形成本体２の短円筒部１２に挿着するとともに、湯水案内具５３の嵌合部６７の外周部７６を、湯水通路分離形成本体２の枠部８の一部及び円弧状枠部１１に嵌着する。このことにより湯水通路分離形成本体２は、トラップ形成具５２及び湯水案内具５３に取り付けられる。
【００４０】
次に浴槽の側面部Ａに穿設した貫通穴ａの外側に、浴槽外固定具５のフランジ部８４を当接させるとともに、浴槽の内側から前記の貫通穴ａに浴槽内固定具５４の筒部７７を挿通させ、浴槽外固定具５５の有底筒体８２の内周面に形成した雌ネジ８２ａに、浴槽内固定具５４の筒部７７の外周面に形成した雄ネジ７７ａを螺着し、浴槽外固定具５５と浴槽内固定具５４とを連結する。
【００４１】
次に浴槽外固定具５５の後部８７に設けた２つの接続管部８５、５６に、湯水往路用と湯水復路用の２つの湯水通路接続管Ｂ、Ｃを接続する。例えば湯水往路用の湯水通路接続管Ｂを接続管部８５に接続し、湯水復路用の湯水通路接続管Ｃを接続管部８５に接続する。
【００４２】
このことにより、湯水往路用の湯水通路接続管Ｂは、浴槽外固定具５５の内部筒体８３の湯水通路８９、湯水案内具５３の湯水案内筒部６６の内部通路７５、トラップ形成具５２の湯水案内筒部６６の湯水案内通路６５、湯水案内筒部６６の端部６８の開口７０から湯水通路分離形成本体２の短円筒部１２及び案内筒部１４の湯水通路１５、案内筒部１４から開口部９までの湯水通路１５ａに連通する。
【００４３】
一方、湯水復路用の湯水通路接続管Ｃは、湯水案内具５３の湯水案内筒部６６と浴槽内固定具５４の筒部７７との隙間の湯水流通用空間７９、湯水案内具５３の嵌合部６７の湯水通過穴７１、トラップ形成具５２のトラップ通路５７、トラップ形成具５２の開口６１ａから湯水通路分離形成本体２の短円筒部１２の外側の湯水通路１６、この湯水通路１６から開口部１０までの湯水通路１６ａに連通する。
【００４４】
このようにした後に、湯水通路分離形成本体２の開口部９には湯水吐出ノズル付き閉塞体４を、開口部１０にはフィルター付き開口枠体３をそれぞれ嵌着する。
【００４５】
開口部９に湯水吐出ノズル付き閉塞体４を嵌着することにより、湯水通路分離形成本体２に形成した繋ぎ通路２１は、筒部４９によって閉塞される。そのため給湯装置（図示せず）内に設けた循環ポンプ（図示せず）によって開口部９側に送られてくる湯水は、湯水流通穴１７側へ流入することなく、筒部４９から湯水吐出ノズル部４８を通って浴槽内に吐出されることになる。
【００４６】
一方、湯水通路分離形成本体２に形成した開口部１０側の繋ぎ通路２２は、開口部１０にフィルター付き開口枠体３を嵌着することにより、閉塞されることはない。そのため浴槽内の湯水は、フィルター付き開口枠体３のフィルター３０を通って湯水通路１５ａ内に流入するとともに、フィルター付き湯水流通穴１７からも繋ぎ通路２２を通って湯水通路１５ａ内に流入する。
【００４７】
この湯水循環接続具１を取り付けた浴槽においては、湯水通路分離形成本体２の前面壁部７からは勿論、湯水流通穴１７からも湯水は吐出することがない。したがって、入浴中に湯水循環接続具１側に身体を寄せても、直接熱い湯水が身体に当たるといったこともなく、安心して入浴することができる。
【００４８】
本発明の湯水循環接続具１では、浴槽外固定具５５の後部８７に設けた接続管部８５、８６の何方に湯水往路用の湯水通路接続管Ｂ並びに湯水復路用の湯水通路接続管Ｃを接続するかは自由であり、前記の使用例とは逆に湯水往路用の湯水通路接続管Ｂを接続管部８６に接続し、湯水復路用の湯水通路接続管Ｃを接続管部８５に接続した場合は、湯水循環接続具１内における湯水の往路と復路は前記の例とは逆になる。
【００４９】
この場合、開口部１０から湯水が吐出し、開口部９（及び繋ぎ通路２１）から湯水が湯水循環接続具１内に流入することになる。そのため、開口部９にはフィルター付き開口枠体３を、開口部１０には湯水吐出ノズル付き閉塞体４を嵌着することにより、湯水循環接続具１を前記した例と何ら変わることなく使用することができる。
【００５０】
尚、仕切り壁部１９、２０は、開口部９、１０まで形成し、仕切り壁部１９、２０に貫通穴を形成して繋ぎ通路２１、２２としてもよい。
【００５１】
【発明の効果】
このように本発明の湯水通路分離形成具では、２つの開口部に対して、何方の開口部にも容易にフィルター付き開口枠体又は湯水吐出ノズル付き閉塞体を取り付けることができる。また取り外しも容易に行うことができる。そのため、湯水通路分離形成本体内の２つの湯水通路の何方が往路通路又は復路通路となっても、素早く対応してフィルター付き開口枠体又は湯水吐出ノズル付き閉塞体を所望の開口部に取り付けることができ、作業効率を上げることができる。また、フィルター付き開口枠体のフィルターに塵等が付着しても、簡単に取り外してフィルターの掃除を行うことができる。
【００５２】
また、本発明の湯水通路分離形成具を有する水循環用接続具では、開口部に湯水吐出ノズル付き閉塞体を取り付けることにより、熱湯が浴槽内に面した湯水通路分離形成具本体の前面壁部から吐出することなく、湯水通路分離形成本体の外周の開口部に取り付けた湯水吐出ノズル付き閉塞体のノズル部から湯水を浴槽内に吐出されることができ、入浴物が熱湯を身体に直接振れるといった危険な目にあうことを防止できる。
【００５３】
また、湯水吐出ノズル付き閉塞体のノズル部にホースを接続することによって、風呂の残り湯を洗濯機等に簡単に供給して利用することができ、非常に経済的に洗濯を行うことができる。
【図面の簡単な説明】
【図１】本発明に係る湯水通路分離形成本体の裏面側からみた斜視図である。
【図２】本発明に係る湯水通路分離形成本体の表面側からみた斜視図である。
【図３】本発明に係る湯水通路分離形成本体の開口部側からみた斜視図である。
【図４】本発明に係る湯水吐出ノズル付き閉塞体の斜視図である。
【図５】本発明に係るフィルター付き開口枠体の斜視図である。
【図６】本発明に係るトラップ形成具の斜視図である。
【図７】本発明に係る湯水案内具の前面側からみた斜視図である。
【図８】本発明に係る湯水案内具にトラップ形成具を装着した状態の斜視図である。
【図９】本発明に係る浴槽内固定具の斜視図である。
【図１０】本発明に係る浴槽外固定具の斜視図である。
【図１１】本発明に係る湯水吐出ノズル付き閉塞体又はフィルター付き開口枠体の開口部への取り付け状態の一部を示す説明図である。
【図１２】本発明に係る湯水吐出ノズル付き閉塞体又はフィルター付き開口枠体の開口部からの解除過程を示す説明図である。
【図１３】本発明に係る湯水循環接続具の浴槽側面部の貫通穴への取付け状態を示す横断面図である。
【図１４】本発明に係る湯水循環接続具の前面側（浴槽内）からみた正面図である。
【図１５】図１４の底面図である。
【図１６】図１４の背面図である。
【図１７】従来の湯水循環接続具の取付け状態を示す説明図である。
【符号の説明】
１  湯水通路分離形成具
２  湯水通路分離形成本体
３  フィルター付き開口枠体
４  湯水吐出ノズル付き閉塞体
７  前面壁部
８  枠部
９  開口部
１０  開口部
１５  湯水通路
１６  湯水通路
１７，１８  フィルター付き湯水流通穴
１７ａ，１８ａ  湯水通路
１９，２０  仕切り壁部
１９ａ，２０ａ  開口部側端
２１，２２  繋ぎ通路
２９  枠部
３０  フィルター
４７  閉塞本体部
４８  湯水吐出ノズル部
４９  筒部
５１  湯水循環用接続具
５２  トラップ形成具
５３  湯水案内具
５４  浴槽内固定具
５５  浴槽外固定具
５７  トラップ通路
６５  湯水案内通路
６６  湯水案内筒部
６７  嵌合部
７１  湯水通過穴
７７  筒部
７８  フランジ部
７９  湯水流通用空間
８７  後部
Ａ  浴槽の外面部
ａ  貫通穴
【図１】
0003848759.tif 000002
【図２】
0003848759.tif 000003
【図３】
0003848759.tif 000004
【図４】
0003848759.tif 000005
【図５】
0003848759.tif 000006
【図６】
0003848759.tif 000007
【図７】
0003848759.tif 000008
【図８】
0003848759.tif 000009
【図９】
0003848759.tif 000010
【図１０】
0003848759.tif 000011
【図１１】
0003848759.tif 000012
【図１２】
0003848759.tif 000013
【図１３】
0003848759.tif 000014
【図１４】
0003848759.tif 000015
【図１５】
0003848759.tif 000016
【図１６】
0003848759.tif 000017
【図１７】
0003848759.tif 000018